(57)【要約】  本発明に係る冷凍サイクル装置においては、暖房運転および除霜運転が行なわれる。除霜運転においては、暖房運転とは逆方向に冷媒が循環する。冷凍サイクル装置は、圧縮機と、第１および第２熱交換器と、減圧装置と、流路切替装置とを備える。流路切替装置は、冷媒の循環方向を切り替える。冷媒は、暖房運転において圧縮機、第１熱交換器、減圧装置、および第２熱交換器の順に循環する。冷媒は、除霜運転において圧縮機、第２熱交換器、減圧装置、第１熱交換器の順に循環する。除霜運転は、第１および第２モードを含む。第１モードにおける減圧装置の開度は、暖房運転における減圧装置の開度よりも大きい。第２モードにおける減圧装置の開度は、第１モードにおける減圧装置の開度よりも小さい。
2019008744.tif 000002
【特許請求の範囲】
【請求項１】
暖房運転および除霜運転が行なわれ、前記除霜運転においては前記暖房運転とは逆方向に冷媒が循環する冷凍サイクル装置であって、
圧縮機と、
第１および第２熱交換器と、
減圧装置と、
前記冷媒の循環方向を切り替えるように構成された流路切替装置とを備え、
前記冷媒は、前記暖房運転において前記圧縮機、前記第１熱交換器、前記減圧装置、および前記第２熱交換器の順に循環し、前記除霜運転において前記圧縮機、前記第２熱交換器、前記減圧装置、前記第１熱交換器の順に循環し、
前記除霜運転は、第１および第２モードを含み、
前記第１モードにおける前記減圧装置の開度は、前記暖房運転における前記減圧装置の開度よりも大きく、
前記第２モードにおける前記減圧装置の開度は、前記第１モードにおける前記減圧装置の開度よりも小さい、冷凍サイクル装置。
【請求項２】
前記流路切替装置および前記減圧装置を制御して、前記暖房運転、前記第１モード、および前記第２モードの順に前記冷凍サイクル装置の運転を切り替えるように構成された制御装置をさらに備え、
前記制御装置は、前記圧縮機と前記第２熱交換器との間を流れる前記冷媒の温度が基準値よりも小さい場合、前記除霜運転を前記第１モードから前記第２モードに切り替えるように構成されている、請求項１に記載の冷凍サイクル装置。
【請求項３】
前記減圧装置は、前記第１モードにおいて全開である、請求項１または２に記載の冷凍サイクル装置。
【請求項４】
前記第１モードにおいて前記第１熱交換器と前記圧縮機との間を流れる前記冷媒の飽和温度は、−１０℃以上０℃以下である、請求項１〜３のいずれか１項に記載の冷凍サイクル装置。
【請求項５】
前記第２モードにおいて前記第１熱交換器と前記圧縮機との間を流れる前記冷媒の飽和温度は、−４５℃以上−２０℃以下である、請求項１〜４のいずれか１項に記載の冷凍サイクル装置。
【発明の詳細な説明】
【技術分野】
【０００１】
本発明は、冷媒の循環方向を切り替えて、暖房運転において蒸発器として機能していた熱交換器を除霜運転において凝縮器として機能させることにより、当該熱交換器の除霜を行なう冷凍サイクル装置に関する。
【背景技術】
【０００２】
従来から、冷媒の循環方向を切り替えて、暖房運転において蒸発器として機能していた熱交換器を、除霜運転において凝縮器として機能させることにより、当該熱交換器の除霜を行なう冷凍サイクル装置が知られている。たとえば、特開昭６１−３６６５９号公報（特許文献１）には、除霜運転時に膨張手段の流路抵抗を通常の暖房運転時の流路抵抗よりも小さくすることにより、除霜運転に要する時間を短縮することが可能なヒートポンプ式空気調和装置が開示されている。
【先行技術文献】
【特許文献】
【０００３】
【特許文献１】特開昭６１−３６６５９号公報
【発明の概要】
【発明が解決しようとする課題】
【０００４】
特開昭６１−３６６５９号公報（特許文献１）に開示されているヒートポンプ式空気調和装置のように、除霜運転時に膨張手段の流路抵抗を通常の暖房運転時の流路抵抗よりも小さくすることにより、除霜の対象である熱交換器（暖房運転時に蒸発器として機能していた熱交換器）を、単位時間あたりに通過する冷媒量（冷媒循環量）が増加する。そのため、冷凍サイクル装置の構成要素（たとえば配管部材、あるいは圧縮機）から冷媒を介して除霜対象の熱交換器に伝えられる単位時間あたりの熱量が増加する。その結果、当該熱交換器に着霜した霜の融解が速くなる。【０００５】
除霜が完了する前に、冷媒が冷凍サイクル装置の構成要素から熱を回収することがほとんどできなくなった（当該構成要素の熱容量がほとんど使い切られた）場合、除霜対象の熱交換器へ冷媒を介して伝えられる熱量がほとんどなくなる。そのため、当該熱交換器に着霜した霜の融解が遅くなる。その結果、除霜の完了が遅れる。【０００６】
本発明は、上述のような課題を解決するためになされたものであり、その目的は、冷凍サイクル装置の除霜に要する時間を短縮することである。
【課題を解決するための手段】
【０００７】
本発明に係る冷凍サイクル装置においては、暖房運転および除霜運転が行なわれる。除霜運転においては、暖房運転とは逆方向に冷媒が循環する。冷凍サイクル装置は、圧縮機と、第１および第２熱交換器と、減圧装置と、流路切替装置とを備える。流路切替装置は、冷媒の循環方向を切り替える。冷媒は、暖房運転において圧縮機、第１熱交換器、減圧装置、および第２熱交換器の順に循環する。冷媒は、除霜運転において圧縮機、第２熱交換器、減圧装置、第１熱交換器の順に循環する。除霜運転は、第１モードおよび第２モードを含む。第１モードにおける減圧装置の開度は、暖房運転における減圧装置の開度よりも大きい。第２モードにおける減圧装置の開度は、第１モードにおける減圧装置の開度よりも小さい。【０００８】
本発明に係る冷凍サイクル装置の除霜運転は、減圧装置の開度が暖房運転における減圧装置の開度よりも大きい第１モードと、減圧装置の開度が第１モードにおける減圧装置の開度よりも小さい第２モードとを含む。第１モードにおいては、主に冷凍サイクル装置の構成要素に蓄えられた熱量を用いて除霜が行なわれる。第２モードにおいては、圧縮機によって冷媒に加えられるエネルギー（圧縮機入力）が第１モードよりも増加する。第１モードにおいて除霜に必要な熱量が不足しても、第２モードによって除霜に必要な熱量を補うことができる。そのため、除霜対象の熱交換器に着霜した霜の融解速度の低下を抑制することができる。
【発明の効果】
【０００９】
本発明に係る冷凍サイクル装置によれば、除霜に要する時間を短縮することができる。
【図面の簡単な説明】
【００１０】
【図１】実施の形態に係る冷凍サイクル装置の機能構成を示す図である。
【図２】実施の形態に係る冷凍サイクル装置の機能構成と冷房運転および除霜運転における冷媒の流れを併せて示す図である。
【図３】圧縮機から吐出される冷媒の温度の時間変化、および減圧装置の開度の時間変化を併せて示すタイムチャートである。
【図４】除霜運転における冷媒の圧力とエンタルピとの関係を示すモリエル線図（Ｐ−ｈ線図）である。
【図５】除霜運転において制御装置によって行なわれる処理を示すフローチャートである。
【図６】圧縮機に吸入される冷媒の飽和温度と密度との関係を示すグラフである。
【図７】圧縮機入力、冷媒の密度、およびエンタルピ差との関係を説明するためのモリエル線図である。
【図８】圧縮機に吸入される冷媒の飽和温度と圧縮機入力との関係を示すグラフである。
【発明を実施するための形態】
【００１１】
以下、本発明の実施の形態について、図面を参照しながら詳細に説明する。なお、図中同一または相当部分には同一符号を付してその説明は原則として繰り返さない。
【００１２】
図１は、実施の形態に係る冷凍サイクル装置１００の機能構成を示す図である。冷凍サイクル装置１００においては、暖房運転と、冷房運転と、除霜運転とが行なわれる。除霜運転は、第１および第２モードを含む。図１においては、暖房運転における冷媒の流れが示されている。
【００１３】
図１に示されるように、冷凍サイクル装置１００は、室外機５０と、室内機５１とを備える。室外機５０と室内機５１とは接続配管３および５によって接続されている。室外機５０は、圧縮機１と、四方弁２と、膨張弁を含む減圧装置６と、室外熱交換器７と、室外送風機１１と、制御装置６０とを含む。室内機５１は、室内熱交換器４と、室内送風機１２とを含む。
【００１４】
室外熱交換器７には室外送風機１１が近接して配置されている。室内熱交換器４には室内送風機１２が近接して配置されている。
【００１５】
制御装置６０は、圧縮機１の駆動周波数を制御する。制御装置６０は、四方弁２を切り替える。制御装置６０は、減圧装置６の開度を制御する。制御装置６０は、室外送風機１１および室内送風機１２の単位時間当たりの送風量を制御する。
【００１６】
圧縮機１の吐出配管には、圧力センサ２１およびサーミスタ３１が取り付けられている。圧縮機１の吸入配管には、圧力センサ２２およびサーミスタ３２が取り付けられている。制御装置６０は、圧力センサ２１、２２を用いて冷媒の圧力を計測する。制御装置６０は、サーミスタ３１、３２を用いて冷媒の温度に相当する配管温度を計測する。
【００１７】
減圧装置６と室外熱交換器７とを接続する配管にはサーミスタ３３が取り付けられている。制御装置６０は、室外熱交換器７から流出する冷媒の温度に相当する配管温度を計測する。
【００１８】
暖房運転において制御装置６０は、四方弁２を制御して、圧縮機１の吐出口と接続配管３とを連通させるとともに、室外熱交換器７と圧縮機１の吸入口とを連通させる。圧縮機１によって断熱圧縮されて高温高圧となった気体状の冷媒（ガス冷媒）は、四方弁２を通過し、接続配管３を経由して、室内熱交換器４に流入する。室内熱交換器４は、暖房運転においては凝縮器として機能する。室内送風機１２により室内熱交換器４に導入された室内空気に対して、高温高圧のガス冷媒は放熱を行って凝縮した後、高圧の液体状の冷媒（液冷媒）となる。
【００１９】
高圧の液冷媒は、接続配管５を経由し、減圧装置６を通過することで膨張し、低温低圧の気液二相状態の冷媒（湿り蒸気）となって室外熱交換器７に流入する。室外熱交換器７は、暖房運転において蒸発器として機能する。室外送風機１１により室外熱交換器７に導入された室外空気から、低温低圧の湿り蒸気が吸熱を行なって蒸発し、低圧のガス冷媒となる。その後、低圧のガス冷媒は、四方弁２を経由し、圧縮機１に吸入され、以降同様の過程で冷凍サイクル装置１００を循環する。
【００２０】
図２は、実施の形態に係る冷凍サイクル装置１００の機能構成と冷房運転および除霜運転における冷媒の流れを併せて示す図である。図２に示されるように、冷房運転において制御装置６０は、四方弁２を切り替えて、圧縮機１の吐出口と室外熱交換器７とを連通させるとともに、接続配管３と圧縮機１の吸入口とを連通させる。圧縮機１によって高温高圧にされたガス冷媒は四方弁２を通過し、室外熱交換器７に流入する。室外熱交換器７は、冷房運転および除霜運転において凝縮器として機能する。室外送風機１１により室外熱交換器７に導入された室外空気に対して、高温高圧のガス冷媒は放熱を行って凝縮し、高圧の液冷媒となる。
【００２１】
高圧の液冷媒は減圧装置６を通過することで、膨張して低温低圧の湿り蒸気となり、接続配管５を経由し、室内熱交換器４に流入する。室内熱交換器４は、冷房運転および除霜運転において蒸発器として機能する。室内送風機１２により室内熱交換器４に導入された室内空気から、低温低圧の湿り蒸気が吸熱を行って蒸発し、低圧のガス冷媒となる。その後、低圧のガス冷媒は、接続配管３を経由して、四方弁２を通過し、圧縮機１に吸入され、以降同様の過程で冷凍サイクル装置１００を循環する。
【００２２】
冷凍サイクルの暖房運転において、外気温度が或る温度（例えば７℃）未満になると、蒸発器として機能している室外熱交換器７の温度が０℃未満となり、室外熱交換器７に着霜が生じる。その結果、霜によって室外送風機１１の風路が閉塞し、冷凍サイクル装置１００の暖房能力が低下する。室外熱交換器７に発生した霜を融解させるために、除霜運転を定期的に行う必要がある。
【００２３】
暖房運転において、除霜の開始条件が成立した場合、除霜運転が開始される。除霜の開始条件としては、伝熱あるいは通風の抵抗となる程度に室外熱交換器７のフィンに霜が発生して成長していることを示す条件であればどのような条件でもよい。除霜の開始条件としては、たとえば、圧力センサ２２によって計測される圧力（圧縮機１によって吸入される冷媒の圧力）が基準圧力以下という条件、あるいはサーミスタ３２にて計測される温度（圧縮機１に吸入される冷媒の温度）が基準温度以下という条件を挙げることができる。
【００２４】
除霜運転において制御装置６０は、室外送風機１１および室内送風機１２を停止させるとともに、四方弁２を切替えて冷媒の循環方向を逆にして、圧縮機１を運転する。圧縮機１から吐出された高温高圧のガス冷媒を室外熱交換器７に流入させることで、室外熱交換器７のフィン上の霜あるいは氷を融解させる。室外熱交換器７から流出する冷媒は、おおよそ０度の液冷媒であり、減圧装置６を通過することで、膨張して低温低圧の湿り蒸気となる。
【００２５】
暖房運転において、接続配管５、室内熱交換器４、および接続配管３の温度は、一般に４０度以上であり、最大で１００度前後である。除霜運転中に室外熱交換器７を流出し、減圧装置６を通過して膨張した低圧低温の湿り蒸気は、接続配管５を経由し、室内熱交換器４を通過して接続配管３に至る過程で、配管部材から熱を吸収して蒸発し、低圧のガス冷媒となる。その後、低圧のガス冷媒は、四方弁２を経由して圧縮機１に吸入され、以降同様の過程で冷凍サイクル装置１００を循環する。除霜運転においては、圧縮機１によって冷媒に加えられる熱量、および配管部材の熱量を主な熱源として、室外熱交換器７に発生した霜を融解させる。
【００２６】
除霜運転が継続すると、接続配管５、室内熱交換器４、および接続配管３の温度が低下し、冷凍サイクル装置１００を循環する冷媒が配管部材から熱量を回収することができなくなる。このため、四方弁２を通過し圧縮機１に吸入される冷媒が、低温の湿り蒸気となる。
【００２７】
配管部材の熱容量がほとんど使い切られた場合でも、圧縮機１の熱量と圧縮機１によって加えられる熱量によって、室外熱交換器７の除霜に必要な熱量を補うことができる。たとえば、圧縮機１が高圧シェルタイプの圧縮機である場合、暖房運転における圧縮機１の温度は１００度前後であるため、除霜運転において湿り蒸気が圧縮機１に流入する場合には、冷媒は圧縮機１から採熱して蒸発する。
【００２８】
除霜運転においては、圧縮機１によって加えられる熱量よりも、配管部材、あるいは圧縮機１に蓄えられた熱量の方が、除霜の熱源としての利用量が大きい。そのため、より高速に配管部材、あるいは圧縮機１の熱量を回収することで除霜に要する時間を短縮することができる。当該熱量を高速に回収するためには、冷媒循環量を増加させる必要がある。減圧装置６の開度を暖房運転よりも大きくすることにより、冷媒循環量を大きくすることできる。冷媒循環量を最大化することにより当該熱量を可能な範囲内で最も高速に回収することができるため、減圧装置６は全開とすることが望ましい。
【００２９】
減圧装置６が１つの減圧装置ではなく、複数の開閉弁が並列に接続された構成である場合、複数の開閉弁の全てを全開とするのが望ましい。減圧装置６の流路抵抗を低下させて減圧装置６における圧力損失を低下させることにより、圧縮機１が吸入する冷媒の密度を増加させることができる。その結果、冷媒循環量を増加させることができる。そこで、実施の形態の除霜運転においては、減圧装置６の開度が暖房運転における減圧装置６の開度よりも大きい第１モードが行なわれる。制御装置６０は、第１モードにおいて減圧装置６を全開として、暖房運転よりも減圧装置６の開度を大きくする。
【００３０】
第１モードが継続すると、圧縮機１に蓄えられていた熱量が低下するため、圧縮機１の温度が低下するとともに、冷媒が圧縮機１から得る熱量が減少する。そのため、圧縮機１が吐出する冷媒の温度が低下する。当該冷媒の温度が基準温度以下（例えば２０℃以下）に低下した場合、圧縮機１からほとんど熱量を回収することができない。
【００３１】
そのため、除霜の熱源として圧縮機１から冷媒に加えられる熱量を増加させる必要がある。そこで実施の形態においては、第１モードに引き続いて、減圧装置の開度が第１モードにおける減圧装置の開度よりも小さく、かつ暖房運転における減圧装置の開度よりも大きい第２モードが行なわれる。制御装置６０は、第２モードにおいて減圧装置６の開度を第１モードよりも低下させことにより、圧縮機１から吐出される冷媒と吸入される冷媒との圧力差を増加させて、圧縮機入力（圧縮機によって冷媒に加えられるエネルギー）を増加させる。
【００３２】
図３は、圧縮機１から吐出される冷媒の温度の時間変化、および減圧装置６の開度の時間変化を併せて示すタイムチャートである。図３において、時刻ｔｍ１で除霜運転の開始条件が成立し、時刻ｔｍ２で除霜運転を第１モードから第２モードに切り替える切替条件が成立しているとする。当該切替条件としては、圧縮機１から吐出される冷媒の温度が基準温度（たとえば２０℃）以下という条件を用いることができる。圧縮機１から吐出される冷媒の温度としては、サーミスタ３１の計測値を用いることができる。
【００３３】
圧縮機１から吐出される冷媒の温度を切替条件の判定に用いることにより、圧縮機１に吸入される冷媒の温度を切替条件の判定に用いる場合よりも、圧縮機１の熱容量が使いきられた否かの判定を高精度に行なうことができる。圧縮機１の熱容量が使い切られるまで第１モードを継続することができるため、除霜運転において圧縮機１の熱容量を除霜熱源として有効に活用することができる。
【００３４】
除霜運転を第１モードから第２モードに切り替える切替条件としては、圧力センサ２１の計測値およびサーミスタ３１の計測値から演算される、圧縮機１から吐出される冷媒のスーパーヒート（過熱度）が基準値よりも小さいという条件を用いてもよい。あるいは、圧縮機１と減圧装置６との間を流れる冷媒の温度あるいはスーパーヒートが基準値以下という条件を用いてもよい。
【００３５】
図３に示されるように、第１モードにおいては、暖房運転よりも減圧装置６の開度が大きい。第１モードにおいては減圧装置６の流路抵抗が暖房運転よりも小さくなるため、冷媒循環量が増加し、圧縮機１から吐出される冷媒の密度が暖房運転よりも増加する。その結果、第１モードが開始されてからしばらくの間、圧縮機１から吐出される冷媒の温度は、除霜運転の開始条件が成立した時刻ｔｍ１における温度よりも高い。
【００３６】
第１モードが継続されると、配管部材あるいは圧縮機１等に蓄えられていた熱量が徐々に減少する。その結果、圧縮機１から吐出される冷媒の温度が徐々に減少し、時刻ｔｍ２において２０℃以下まで低下する。時刻ｔｍ２において除霜運転が第１モードから第２モードに切り替えられる。第２モードにおいては第１モードよりも減圧装置６の開度が減少され、第１モードよりも圧縮機入力が増加する。その結果、第２モードにおいて圧縮機１から吐出される冷媒の温度は、除霜運転の切替条件が成立した時刻ｔｍ２における温度よりも高い。
【００３７】
制御装置６０は第１モードあるいは第２モードにおいて、除霜運転の終了条件が成立した場合に、室外熱交換器７に発生した霜がほとんど融解したとして、除霜運転を終了する。除霜運転の終了条件としては、室外熱交換器７に発生した霜がほとんど融解したと判定可能な条件であればどのような条件でもよい。除霜運転の終了条件としては、たとえば室外熱交換器７と減圧装置６との間を流れる冷媒の温度（サーミスタ３３の計測値）が基準温度以上（たとえば５℃以上）という条件を挙げることができる。
【００３８】
図４は、除霜運転における冷媒の圧力とエンタルピとの関係を示すモリエル線図（Ｐ−ｈ線図）である。図４において、曲線ＬＣ１は、冷媒の飽和液線である。曲線ＧＣ１は、冷媒の飽和蒸気線である。点ＣＰ１は、冷媒の臨界点である。臨界点は、液冷媒とガス冷媒との間で相変化が生じ得る範囲の限界を示す点であり、飽和液線と飽和蒸気線との交点である。
【００３９】
臨界点における圧力より冷媒の圧力が高くなると液冷媒とガス冷媒との間で相変化が生じなくなる。飽和液線よりエンタルピが低い領域においては、冷媒は液体である。飽和液線と飽和蒸気線とで挟まれた領域においては、冷媒は湿り蒸気である。飽和蒸気線よりもエンタルピーが高い領域においては冷媒は気体である。図７においても同様である。図４において、曲線ＩＴ１およびＩＴ２は、それぞれ０℃および４０℃に対応する冷媒の等温線である。
【００４０】
図４に示されるように、第１モードにおいて冷媒は、点Ｒ１１〜Ｒ１４の順に冷凍サイクル装置１００を循環する。点Ｒ１１から点Ｒ１２への状態変化の過程は、圧縮機１による冷媒の圧縮過程を表す。点Ｒ１１は、圧縮機１に吸入される冷媒の状態を表す。点Ｒ１２は、圧縮機１が吐出する冷媒の状態を表す。点Ｒ１２の状態にある冷媒の圧力およびエンタルピは、圧縮機入力により、いずれも点Ｒ１１の状態にある冷媒の圧力およびエンタルピよりも大きい。
【００４１】
点Ｒ１２から点Ｒ１３への状態変化の過程は、室外熱交換器７における冷媒の凝縮過程を表す。除霜運転における凝縮過程の冷媒の飽和温度は、氷の融解温度である０℃、あるいは０℃より数度高い温度となる。点Ｒ１３から点Ｒ１４への状態変化の過程は、減圧装置６による冷媒の減圧過程を表す。点Ｒ１４は、減圧装置６から流出する冷媒の状態を表す。点Ｒ１４からＲ１１への状態変化の過程は、室内熱交換器４における冷媒の蒸発過程を表す。
【００４２】
第１モードが継続されると、圧縮機１が吸入する冷媒の温度および吐出する冷媒の温度がともに低下するため、点Ｒ１１の状態およびＲ１２の状態は、点Ｒ１５の状態およびＲ１６の状態に向かってそれぞれ変化していく。
【００４３】
除霜運転を第１モードから第２モードに切り替える切替条件が成立した場合、第２モードにおいて減圧装置６の開度が減少される。減圧装置６の流路抵抗が増加するため、減圧装置６から流出する冷媒の密度が低下する。減圧装置６から流出する冷媒の圧力が低下するため、点Ｒ１４の状態は点Ｒ２４の状態へ変化する。圧縮機１に吸入される冷媒の圧力も低下するため、当該冷媒の状態は点Ｒ１５の状態から点Ｒ２１の状態へ変化する。
【００４４】
第２モードにおいては、冷媒は、点Ｒ２１，Ｒ２２，Ｒ１３，Ｒ２４の順に冷凍サイクル装置１００を循環する。点Ｒ２２の状態にある冷媒のエンタルピは、圧縮機入力の増加により、第１モードの点Ｒ１６のエンタルピよりも高い。すなわち、点Ｒ１６の状態にある冷媒の熱量よりも、点Ｒ２２の状態にある冷媒の熱量の方が大きい。したがって、第１モードを継続して点Ｒ１６の状態にある冷媒の熱量を用いて室外熱交換器７の除霜を行なうよりも、点Ｒ２２の状態にある冷媒の熱量を用いて室外熱交換器７の除霜を行なう方が、室外熱交換器７に着霜した霜の融解が速くなるため、短時間で除霜を完了することができる。
【００４５】
冷凍サイクル装置１００においては、第１モードで配管部材および圧縮機１等の冷凍サイクル装置１００の構成要素の熱量をほとんど使いきっても除霜が未完了である場合に、圧縮機入力を第１モードよりも大きくする第２モードを行なう。このように、第１モードの後に第２モードを行なうことにより、第１モードにおいて室外熱交換器７の霜の融解を高速化することができるため、除霜時間をより短縮することができる。
【００４６】
図５は、除霜運転において制御装置６０によって行なわれる処理を示すフローチャートである。図５に示される処理は、不図示のメインルーチンによって一定時間間隔で呼び出される。以下では、ステップを単にＳと記載する。
【００４７】
図５に示されるように、制御装置６０は、Ｓ１０において除霜運転の開始条件が成立したか否かを判定する。除霜運転の開始条件が成立していない場合（Ｓ１０においてＮＯ）、制御装置６０は、処理をメインルーチンに返す。除霜運転の開始条件が成立している場合（Ｓ１０においてＹＥＳ）、制御装置６０は、処理をＳ２０に進める。
【００４８】
制御装置６０は、Ｓ２０において室外送風機１１および室内送風機１２を停止させた後、処理をＳ３０に進める。制御装置６０は、Ｓ３０において四方弁２を切り替えて冷媒の循環方向を暖房運転とは逆方向として、処理をＳ４０に進める。
【００４９】
Ｓ４０は、第１モードにおいて行なわれるＳ４１〜Ｓ４３を含む。制御装置６０は、Ｓ４１において減圧装置６を全開にした第１モードにして処理をＳ４２に進める。制御装置６０は、Ｓ４２において一定時間待機した後、処理をＳ４３に進める。第１モードで一定時間待機している間、圧縮機１から吐出された高温高圧のガス冷媒が循環量を増加させた状態で、霜が発生した室外熱交換器７に流入し、霜を融解する。
【００５０】
制御装置６０は、Ｓ４３において除霜運転の終了条件が成立したか否かを判定する。除霜運転の終了条件が成立している場合（Ｓ４３においてＹＥＳ）、制御装置６０は、処理をＳ７０に進める。除霜運転の終了条件が成立していない場合（Ｓ４３においてＮＯ）、制御装置６０は、処理をＳ５０に進める。
【００５１】
制御装置６０は、Ｓ５０において除霜運転の第１モードを第２モードに切替える切替条件が成立しているか否かを判定する。除霜運転の切替条件が成立していない場合（Ｓ５０においてＮＯ）、制御装置６０は、処理をＳ４２に戻す。除霜運転の切替条件が成立している場合（Ｓ５０においてＹＥＳ）、制御装置６０は、処理をＳ６０に進める。
【００５２】
Ｓ６０は、第２モードにおいて行なわれるＳ６１〜Ｓ６３を含む。制御装置６０は、Ｓ６１において減圧装置６の開度を第１モードよりも減少させた第２モードにして処理をＳ６２に進める。制御装置６０は、Ｓ６２において一定時間待機した後、処理をＳ６３に進める。第２モードで一定時間待機している間、圧縮機１から吐出された高温高圧のガス冷媒が圧縮機入力を第１モードよりも大きくさせた状態で、霜が発生した室外熱交換器７に流入し、霜の融解を高速化する。
【００５３】
制御装置６０は、Ｓ６３において除霜運転の終了条件が成立したか否かを判定する。除霜運転の終了条件が成立していない場合（Ｓ６３においてＮＯ）、制御装置６０は、処理をＳ６２に戻す。除霜運転の終了条件が成立している場合（Ｓ６３においてＹＥＳ）、制御装置６０は、処理をＳ７０に進める。
【００５４】
制御装置６０は、Ｓ７０において四方弁２を切り替えて、冷媒の循環方向を暖房運転の循環方向に戻して処理をＳ８０に進める。制御装置６０は、Ｓ８０において室外送風機１１および室内送風機１２を再稼働させて処理をメインルーチンに戻す。
【００５５】
除霜運転の終了後は、通常、暖房運転が再開される。制御装置６０は、四方弁２を切り替えて冷媒の循環方向を切り替えるとともに、室外送風機１１と室内送風機１２とを動作させて、圧縮機１を運転する。除霜運転においては室内熱交換器４の温度が低下しているため、室内への冷たい空気の送風がユーザの快適性という観点から望ましくない場合には、室内送風機１２の動作開始を圧縮機１の運転開始に対して、遅らせるようにしてもよい。
【００５６】
冷媒循環量を増加させるために、圧縮機１に吸入される冷媒の密度は大きいほど好ましい。圧縮機１に吸入される冷媒の密度は、減圧装置６での圧力損失が無い、飽和温度が０℃の場合に最大となる。しかし、減圧装置６の圧力損失を小さくするため、減圧装置６を大口径の電子減圧装置とすることは費用あるいは設置スペースの関係上困難である場合が多い。
【００５７】
また、減圧装置６の圧力損失を小さくするため、減圧装置６を複数の開閉弁が並列に接続された構成とすることは費用の増加が著しい。そこで、冷凍サイクル装置１００の第１モードにおいて制御装置６０は、圧力センサ２２の計測値から演算される、圧縮機１に吸入される冷媒の飽和温度が−１０℃以上０℃以下となるような減圧装置６を選定し、その開度を制御する。
【００５８】
図６は、圧縮機１に吸入される冷媒の飽和温度と密度との関係を示すグラフである。図６において、密度Ｄ０は、飽和温度が０℃である場合の冷媒の密度である。密度Ｄ１０は、飽和温度が−１０℃である場合の冷媒の密度である。密度Ｄ１０は、密度Ｄ０の７０％程度の値である。図６に示されるように、圧縮機１に吸入される冷媒の飽和温度を−１０℃以上０℃以下とした場合、圧縮機１に吸入される冷媒の密度は、Ｄ１０以上Ｄ０以下となる。すなわち、圧縮機１に吸入される冷媒の密度の最大値からの低下を３０％程度以内に抑制することができる。その結果、第１モードの要する時間の最短時間からの増加を３０％程度以内に抑制することができる。
【００５９】
図７は、圧縮機入力、冷媒の密度、およびエンタルピ差との関係を説明するためのモリエル線図である。図７において、曲線ＩＴ１およびＩＴ３は、それぞれ０℃および−４０℃に対応する冷媒の等温線である。曲線ＩＰ１およぎＩＰ２は、それぞれ密度Ｄ１およびＤ２（Ｄ２＜Ｄ１）に対応する冷媒の等密度線である。以下では、点Ｒ３１〜Ｒ３４の順に冷媒が循環するサイクルと、点Ｒ４１，Ｒ４２，Ｒ３３，Ｒ３４の順に冷媒が循環するサイクルとを比較する。点Ｒ３１の状態にある冷媒の密度はＤ１であり、点Ｒ４１の冷媒の密度はＤ２である。
【００６０】
圧縮機１に吸入される冷媒の飽和温度に関して、点Ｒ４１の状態にある冷媒の飽和温度は、点Ｒ３１の状態にある冷媒の飽和温度よりも小さい。圧縮機１によって吐出される冷媒と吸入される冷媒とのエンタルピ差に関して、点Ｒ４１と点Ｒ４２とのエンタルピ差は、点Ｒ３１とＲ３２とのエンタルピ差よりも大きい。圧縮機１に吸入される冷媒の密度に関して、点Ｒ４１の状態にある冷媒の密度Ｄ２は、点Ｒ３１の状態にある冷媒の密度Ｄ１よりも小さい。
【００６１】
すなわち、圧縮機１に吸入される冷媒の飽和温度が小さいほど、圧縮機１によって吐出される冷媒と吸入される冷媒とのエンタルピ差は大きくなり、圧縮機１に吸入される冷媒の密度は小さくなる。圧縮機入力は、圧縮機１に吸入される冷媒の密度、および圧縮機１によって吐出される冷媒と吸入される冷媒とのエンタルピ差の積に比例する。圧縮機１に吸入される冷媒の飽和温度を大きくして、圧縮機１に吸入される冷媒の密度を大きくすると、圧縮機１によって吐出される冷媒と吸入される冷媒とのエンタルピ差は小さくなる。
【００６２】
逆に、圧縮機１に吸入される冷媒の飽和温度を小さくして、圧縮機１によって吐出される冷媒と吸入される冷媒とのエンタルピ差は大きくすると、圧縮機１に吸入される冷媒の密度を小さくなる。圧縮機入力は、圧縮機１に吸入される冷媒の飽和温度が−３０℃付近である場合に最大となる。
【００６３】
図８は、圧縮機１に吸入される冷媒の飽和温度と圧縮機入力との関係を示すグラフである。図８において、仕事Ｗ１は、飽和温度が−４５℃である場合の圧縮機入力を示す。仕事Ｗ２（＜Ｗ１）は、飽和温度が−２０℃である場合の圧縮機入力を示す。仕事Ｗ３は、圧縮機入力の最大値を示す。仕事Ｗ１およびＷ２は、仕事Ｗ３の９０％程度の値である。
【００６４】
図８に示されるように、圧縮機１に吸入される冷媒の飽和温度を−４５℃以上−２０℃以下とした場合、圧縮機入力は、Ｗ１以上Ｗ３以下である。すなわち、圧縮機入力の最大値からの低下を約１０％程度に抑制することができる。そこで、第２モードにおいては、圧力センサ２２の計測値から演算される圧縮機１に吸入される冷媒の飽和温度を、−４５℃以上−２０℃以下となるように減圧装置６の開度を制御する。圧縮機入力の最大値Ｗ３からの低下を１０％程度に抑制することができる。その結果、第２モードの要する時間の最短時間からの増加を１０％程度に抑制することができる。
【００６５】
以上、実施の形態に係る冷凍サイクル装置によれば、除霜に要する時間を短縮することができる。
【００６６】
今回開示された実施の形態はすべての点で例示であって制限的なものではないと考えられるべきである。本発明の範囲は上記した説明ではなくて請求の範囲によって示され、請求の範囲と均等の意味および範囲内でのすべての変更が含まれることが意図される。
【符号の説明】
【００６７】
１  圧縮機、２  四方弁、３，５  接続配管、４，７  熱交換器、６  減圧装置、１１  室外送風機、１２  室内送風機、２１，２２  圧力センサ、３１〜３３  サーミスタ、５０  室外機、５１  室内機、６０  制御装置、１００  冷凍サイクル装置。
【図１】
2019008744.tif 000003
【図２】
2019008744.tif 000004
【図３】
2019008744.tif 000005
【図４】
2019008744.tif 000006
【図５】
2019008744.tif 000007
【図６】
2019008744.tif 000008
【図７】
2019008744.tif 000009
【図８】
2019008744.tif 000010
【手続補正書】
【提出日】令和1年10月21日(2019.10.21)
【手続補正１】
【補正対象書類名】特許請求の範囲
【補正対象項目名】全文
【補正方法】変更
【補正の内容】
【特許請求の範囲】
【請求項１】
暖房運転および除霜運転が行なわれ、前記除霜運転においては前記暖房運転とは逆方向に冷媒が循環する冷凍サイクル装置であって、
圧縮機と、
第１および第２熱交換器と、
減圧装置と、
前記冷媒の循環方向を切り替えるように構成された流路切替装置と、
前記流路切替装置および前記減圧装置を制御して前記冷凍サイクル装置の運転を切り替えるように構成された制御装置とを備え、
前記冷媒は、前記暖房運転において前記圧縮機、前記第１熱交換器、前記減圧装置、および前記第２熱交換器の順に循環し、前記除霜運転において前記圧縮機、前記第２熱交換器、前記減圧装置、前記第１熱交換器の順に循環し、
前記除霜運転は、第１および第２モードを含み、
前記第１モードにおける前記減圧装置の開度は、前記暖房運転における前記減圧装置の開度よりも大きく、
前記第２モードにおける前記減圧装置の開度は、前記第１モードにおける前記減圧装置の開度よりも小さく、
前記制御装置は、
前記除霜運転の開始条件が成立する場合、前記冷凍サイクル装置の運転を前記暖房運転から前記第１モードに切り替え、
前記除霜運転の終了条件が成立しておらず、かつ、前記圧縮機と前記第２熱交換器との間を流れる前記冷媒の温度が基準値よりも小さい場合、前記冷凍サイクル装置の運転を前記第１モードから前記第２モードに切り替えるように構成されている、冷凍サイクル装置。
【請求項２】
前記減圧装置は、前記第１モードにおいて全開である、請求項１に記載の冷凍サイクル装置。
【請求項３】
前記第１モードにおいて前記第１熱交換器と前記圧縮機との間を流れる前記冷媒の飽和温度は、−１０℃以上０℃以下である、請求項１または２に記載の冷凍サイクル装置。
【請求項４】
前記第２モードにおいて前記第１熱交換器と前記圧縮機との間を流れる前記冷媒の飽和温度は、−４５℃以上−２０℃以下である、請求項１〜３のいずれか１項に記載の冷凍サイクル装置。
【国際調査報告】
2019008744.tif 000011
2019008744.tif 000012